(57)【要約】      （修正有）【課題】種々の物品に安定して止めて楽しむことが可能なマスコットを提供する。【解決手段】マスコットは、胴体と、胴体に連結された脚部４０と、を備える。脚部４０が前後及び左右に溝部６０〜６３を有する弾性体で構成され、脚部４０の溝部６０〜６３にマスコットを飾るための物品が刺さってマスコットが物品に止まる。【選択図】図４
0003209995.tif 000002
【実用新案登録請求の範囲】
【請求項１】
胴体と、前記胴体に連結された脚部と、を備えるマスコットにおいて、前記脚部が前後及び左右に溝部を有する弾性体で構成され、前記脚部の溝部に前記マスコットを飾るための物品が刺さって前記マスコットが前記物品に止まることを特徴とするマスコット。
【請求項２】
前記溝部の内側面に、対向する少なくとも一対の突起を備える、請求項１に記載のマスコット。
【請求項３】
前記脚部が前記脚部の爪先に向かって拡がっている、請求項１又は２に記載のマスコット。
【請求項４】
鳥の模型である、請求項１〜３の何れか一項に記載のマスコット。
【請求項５】
更に、前記胴体に連結された頭部を備え、前記頭部が鳥の音声を発生させるための電気接点を有し、前記電気接点が前記胴体内に配置された音声発生モジュールに接続される、請求項１〜４の何れか一項に記載のマスコット。
【考案の詳細な説明】
【技術分野】
【０００１】
本考案は、種々の物品に止めて飾ることが可能なマスコットに関する。
【背景技術】
【０００２】
近年、通常では飾ることができない物品にマスコットを飾ることにより、マスコットへの好奇心や関心を集める試みがなされている。例えば、特許文献１には、携帯電話のアンテナ先端部に取付けることが可能な振動マスコットが開示されている。振動マスコットはアンテナ先端部を受入れるように成形されたアダプター部材を有しているものの、携帯電話以外の物品にマスコットを止めて飾ることはできなかった。
【０００３】
特許文献２には、止り木に止まった状態の模型小鳥が開示されている。模型小鳥の脚部は予め止り木に接合されるため、模型小鳥を止り木に安定して止めることができるものの、止り木以外の物品に模型小鳥を止めて飾ることはできなかった。更に、模型小鳥は、小鳥の啼き声を録音したセンサー付きメモリを有していて、小鳥のさえずりによって人の心を癒すことができる。
【０００４】
特許文献３には、予め決められた音声や音楽の再生だけではなく、録音が可能な音声玩具が開示されている。音声玩具は、オームを模した縫いぐるみであり、電池ケースである止り木に止められているものの、止り木以外の物品に縫いぐるみを止めて飾ることはできなかった。
【先行技術文献】
【特許文献】
【０００５】
【特許文献１】実用新案登録第３０６５１７１号公報
【特許文献２】実開平０４−０３７４９３号公報
【特許文献３】特開昭６３−２９０５９４号公報
【考案の概要】
【考案が解決しようとする課題】
【０００６】
前述した従来技術以外でも、ガラスコップやマグカップ等の物品に掛けたり又は吊下げたりして楽しむことが可能なマスコットは存在していた。しかしながら、斯かるマスコットは、これら物品に安定して止まらないため、マスコットを飾った物品を移動したり又はマスコットを飾った物品が振動で揺れたりした場合には、マスコットが物品から落下する虜がある。
【０００７】
そこで、本考案は、種々の物品に安定して止めて楽しむことが可能なマスコットを提供することを目的とする。
【課題を解決するための手段】
【０００８】
本考案の第一の態様によれば、胴体と、胴体に連結された脚部と、を備えるマスコットにおいて、脚部が前後及び左右に溝部を有する弾性体で構成され、脚部の溝部にマスコットを飾るための物品が刺さってマスコットが物品に止まる、マスコットが提供される。
本考案の第二の態様によれば、第一の態様において、脚部が脚部の爪先に向かって拡がっている、マスコットが提供される。
本考案の第三の態様によれば、第二の態様において、脚部の溝部の内側面に、対向する少なくとも一対の突起を備える、マスコットが提供される。
本考案の第四の態様によれば、第三の態様において、鳥の模型である、マスコットが提供される。
本考案の第五の態様によれば、第四の態様において、更に、胴体に連結された頭部を備え、頭部が鳥の音声を発生させるための電気接点を有し、電気接点が胴体内に配置された音声発生モジュールに接続される、マスコットが提供される。
【考案の効果】
【０００９】
本考案によれば、ガラスコップ、マグカップ、卓上カレンダー、卓上扇風機、ブックエンド、ペンスタンド等の種々の物品に安定して止めて楽しむことが可能なマスコットを提供することができる。
【図面の簡単な説明】
【００１０】
【図１】本考案の一実施形態によるマスコットの正面図である。
【図２】本考案の一実施形態によるマスコットの側面図である。
【図３】本考案の一実施形態によるマスコットの背面図である。
【図４】本考案の一実施形態によるマスコットの底面図である。
【図５】本考案の一実施形態における脚部の拡大正面図である。
【図６】本考案の一実施形態における脚部の拡大側面図である。
【図７】本考案の他の実施形態における脚部の拡大正面図である。
【図８】本考案の他の実施形態における脚部の拡大側面図である。
【図９】本考案の一実施形態によるマスコットをガラスコップに止めて飾った状態を示す斜視図である。
【図１０】本考案の一実施形態によるマスコットを卓上カレンダーに止めて飾った状態を示す正面図である。
【図１１】本考案の一実施形態によるマスコットを卓上扇風機に止めて飾った状態を示す斜視図である。
【図１２】本考案の一実施形態によるマスコットをブックエンドに止めて飾った状態を示す斜視図である。
【考案を実施するための形態】
【００１１】
以下、添付図面を参照して本考案の実施形態を詳細に説明する。各図面において、同様の構成要素には同一の符号が付与される。なお、以下に記載される内容は、実用新案登録請求の範囲に記載される考案の技術的範囲及び用語の意義を限定するものではない。
【００１２】
本明細書においては、マスコットから見て右側を「右」といい、左側を「左」といい、マスコットの顔側を「前」といい、マスコットの背中側を「後」といい、マスコットの頭側を「上」、ぬいぐるみの脚側を「下」ということに留意されたい。
【００１３】
図１〜図４は、本考案の一実施形態によるマスコット１の正面図、側面図、背面図及び底面図である。マスコット１は、頭部１０、胴体２０、腕部３０及び脚部４０を有する鳥を模した模型又は玩具であり、ガラスコップ、マグカップ、卓上カレンダー、卓上扇風機、ブックエンド、ペンスタンド等の種々の物品に安定して止めて楽しむことができる。本実施形態においては、マスコット１が干支（酉）に因んだ鳥の模型又は玩具であるが、本考案はこれに限定されるものではなく、他の干支（戌、亥、子等）の動物（犬、猪、ネズミ等）を模した模型又は玩具でもよいことに留意されたい。
【００１４】
図１に示すように、頭部１０は、鳥の顔とは別に、種々のキャラクターの顔１４を有することが好ましい。これにより、キャラクターが、干支（酉）に因んだ鳥の着ぐるみを着ているように見えるため、更にマスコット１への好奇心や関心を集めることができる。
【００１５】
図２を参照すると、頭部１０、胴体２０及び腕部３０は、マスコット１の前側部分を構成する前側部材とマスコット１の後側部分を構成する後側部材とによって一体的に形成されることが分かる。前側部材及び後側部材は、耐衝撃性に優れたＡＢＳ樹脂やポリスチレン等のプラスチックを射出成形又は圧縮成形することによって成形された硬質体で構成されていて、スナップフィットや圧入等の接合法によって互いに嵌合される。
【００１６】
図３に示すように、頭部１０は、鳥の音声を発生させるための２つの電気接点１１を有する。電気接点１１は、頭部１０及び胴体２０の内部に配置された音声発生モジュール１２に接続される。音声発生モジュール１２は、図示しないものの、２つの電気接点１１の間に生じた電位差を増幅する増幅部と、鳥の音声データを記憶する記憶部と、鳥の音声を発生するよう構成されたスピーカと、増幅した電位差を検知したときに記憶した鳥の音声データに基づいてスピーカに鳥の音声を発生させるように制御する制御部と、を有する。利用者がマスコット１の頭部１０を手指で撫でると、静電気により２つの電気接点１１の間に生じた電位差に基づいて、音声発生モジュール１２が鳥の音声を発生させる。マスコット１の背中側には音穴１３が形成されており、発生した鳥の音声は音穴１３を介してマスコット１の外部へ流れる。
【００１７】
図４を参照すると、本考案の最も特徴的な構成である脚部４０が示されている。脚部４０は、シリコンゴム、エラストマー等の弾性材料を金型成形することによって成形された単一の弾性体で構成される。脚部４０は、左右方向に延びる１つの溝部６０と、前後方向に延びる３つの溝部６１〜６３と、を有する。左右方向に延びる溝部６０は、前爪４５及び後爪４６を区分し、前後方向に延びる中央の溝部６２は、右脚４１及び左脚４２を区分し、前後方向に延びる右側及び左側の溝部６１、６３は、それぞれ右脚４１及び左脚４２の右爪４７及び左爪４８を区分する。
【００１８】
図５及び図６は、本実施形態における脚部４０の拡大正面図及び拡大側面図である。図５に示すように、脚部４０は、右脚４１と、左脚４２と、右脚４１及び左脚４２を連結する第一連結部４３と、第一連結部４３に連結するとともに胴体２０の内壁面に係止される係止部４４と、を有する。第一連結部４３が、胴体２０の底面に配設した開口（図示せず）を通って、右脚４１及び左脚４２を連結することにより、右脚４１及び左脚４２が変位した場合に元の位置に戻ろうとする弾性力、即ち、右脚４１と左脚４２との間に形成された溝部６２で物品を挟持する力が効果的に得られる。
【００１９】
右脚４１及び左脚４２は、更に、右爪４７と、左爪４８と、右爪４７及び左爪４８を連結する第二連結部４９と、を有する。第二連結部４９が右爪４７及び左爪４８を連結することにより、右爪４７及び左爪４８が変位した場合に元の位置に戻ろうとする弾性力、即ち、右爪４７と左爪４８との間に形成された溝部６１、６３で物品を挟持する力が効果的に得られる。
【００２０】
図６を参照すると、右脚４１及び左脚４２は、更に、前爪４５と、後爪４６と、前爪４５及び後爪４６を連結する第三連結部５０と、を有する。第三連結部５０が前爪４５及び後爪４６を連結することにより、前爪４５及び後爪４６が変位した場合に元の位置に戻ろうとする弾性力、即ち、前爪４５と後爪４６との間に形成された溝部６０で物品を挟持する力が効果的に得られる。
【００２１】
図７及び図８は、本考案の他の実施形態における脚部の拡大正面図及び拡大側面図である。他の実施形態における脚部７０は、脚部７０の爪先に向かって拡がっている点、及び、溝部６０〜６３の内側面に、対向する一対の突起５１、５２を有する点において、図５及び図６に示す脚部４０と異なっている。図７に示すように、脚部７０が爪先に向かって拡がっていることにより、脚部７０の底面積が大きくなり、平坦な場所においてもマスコット１を安定して飾ることができる。
【００２２】
図７に示すように、溝部６１、６３の内側面に、即ち、右爪７７と左爪７８との間に、対向する一対の突起５１を有することにより、右爪７７と左爪７８との間に形成された溝部６１、６３で物品を挟持する力がより一層強くなる。同様に、図８に示すように、溝部６０の内側面に、即ち、前爪７５と後爪７６との間に、対向する一対の突起５２を有することにより、前爪７５と後爪７６との間に形成された溝部６０で物品を挟持する力が一層強くなる。
【００２３】
図９〜図１２は、本実施形態によるマスコット１を種々の物品に止めて飾った状態を示す図である。図９に示すように、マスコット１は、例えばガラスコップ８０の縁部８１に止めて飾ることができる。図９では、図４において説明した脚部４０の左右方向に延びる溝部６０にガラスコップ８０の縁部８１が刺さって、マスコット１がガラスコップ８０に安定して止まることができる。マスコット１は、更に、ガラスコップ８０を置く平坦な場所においても飾ることができる。
【００２４】
図１０に示すように、マスコット１は、例えば卓上カレンダー９０のリング９１に止めて飾ることもできる。図１０では、図４において説明した脚部４０の前後方向に延びる溝部６２に卓上カレンダー９０のリング９１が刺さって、マスコット１が卓上カレンダー９０に安定して止まることができる。
【００２５】
図１１に示すように、マスコット１は、例えば卓上扇風機１００のガードリング１０１及び前ガード１０２に止めて飾ることもできる。図１１では、図４において説明した脚部４０の左右方向に延びる溝部６０に卓上扇風機１００のガードリング１０１が刺さるとともに、脚部４０の前後方向に延びる溝部６２に卓上扇風機１００の前ガード１０２が刺さって、マスコット１が卓上扇風機１００に安定して止まることができる。脚部４０がガードリング１０１及び前ガード１０２を挟持する力は、従来のものと比べて大きいため、マスコット１は斜めに傾いた状態でも卓上扇風機１００に止まることができる。
【００２６】
図１２に示すように、マスコット１は、例えばブックエンド１１０の縁部１１１に止めて飾ることもできる。図１１と同様に、脚部４０がブックエンド１１０の縁部１１１を挟持する力は、従来のものと比べて大きいため、マスコット１は水平方向に傾いた状態でもブックエンド１１０に止まることができる。
【００２７】
前述した実施形態によれば、ガラスコップ、マグカップ、卓上カレンダー、卓上扇風機、ブックエンド、ペンスタンド等の種々の物品に安定して止めることができるとともに、頭を撫でて鳥の音声を楽しむことが可能なマスコット１を提供することができる。
【００２８】
本明細書において種々の実施形態について説明したが、本考案は、前述した実施形態に限定されるものではなく、以下の実用新案登録請求の範囲に記載された範囲内において種々の変更を行えることを認識されたい。
【符号の説明】
【００２９】
１    マスコット
１０    頭部
１１    電気接点
１２    音声発生モジュール
２０    胴体
４０    脚部
６０〜６３    溝部
８０、９０、１００、１１０    物品
【図１】
0003209995.tif 000003
【図２】
0003209995.tif 000004
【図３】
0003209995.tif 000005
【図４】
0003209995.tif 000006
【図５】
0003209995.tif 000007
【図６】
0003209995.tif 000008
【図７】
0003209995.tif 000009
【図８】
0003209995.tif 000010
【図９】
0003209995.tif 000011
【図１０】
0003209995.tif 000012
【図１１】
0003209995.tif 000013
【図１２】
0003209995.tif 000014